(57)【要約】安全機構は、自動車のボンネット（８）の下側に位置するユニット（２０）を備える。このユニットは、センサ（３５）からの信号に応答して長さが伸長するようになっており、ベロウズスリーブ（２１）とガス発生器（１９）とを有している。このユニットは、捕捉機構（２３）を有し、この機構は、ボンネット構造体の部分（９）に係合し、前記ツニットが伸長したとき、ボンネット構造体のその部分が係合し、保持される。
2004521810.tif 000002
【特許請求の範囲】
【請求項１】
フード又はボンネットを有する自動車の安全機構であり、この安全機構は、フード又はボンネットの後部下側に配置されるようになっているユニットを備え、このユニットは、センサからの信号に応答して前記ユニットを伸びるようにする手段を有し、このユニットは、前記ユニットが伸長したとき、ボンネット構造体の一部に係合し、これを保持する捕捉具を有している構成になっているもの。
【請求項２】
フード又はボンネットを有する自動車の安全機構であり、この安全機構は、フード又はボンネットの後部下側に配置されているユニットを備え、このユニットは、センサからの信号に応答して前記ユニットを伸びるようにする手段を有し、このユニットは、前記ユニットが伸長したとき、ボンネット構造体の一部に係合し、これを保持する捕捉具を有している構成になっているもの。
【請求項３】
前記ユニットには、ボスが設けられており、このボスには、捕捉具を構成する直径方向に対向する二つのスプリングクリップが設けられている請求項１又は請求項２による安全機構。
【請求項４】
前記ボスには、円錐形又はテーパーがついた上面が設けられ、各スプリングクリップには、自由なアームが設けられ、このアームは、前記円錐形の面に整合する傾斜部を構成し、この傾斜部の下端部は、内方へ放射状に向いているアームになっている請求項３による安全機構。
【請求項５】
前記ユニットは、基部を有し、この基部は、装填火薬を支持し、前記ユニットは、さらに、前記ボスを支持する上部プレートを有し、前記ボスと前記上部プレートとを連結して、ガス発生器が作動すると、長さが伸長するようにする手段が設けられている前記請求項のいずれか一つによる安全機構。
【請求項６】
前記ユニットの部分は、長さが伸長するとき、可塑的変形するものである前記請求項のいずれか一つによる機構。
【請求項７】
前記ボスと前記上部プレートとの間の手段は、可塑的に変形可能なマテリアルで作られたスリーブからなる請求項５による機構。
【請求項８】
前記スリーブには、蛇腹構成が設けられている請求項７による機構。
【請求項９】
前記前記ボスと前記上部プレートとの間の手段は、ピストンとシリンダー構成からなるものである請求項５又は請求項６による機構。
【請求項１０】
前記ピストンは、可塑的に変形可能なマテリアウのピストンロッドと前記ピストンを伸長した位置で保持する手段とを備えている請求項９による機構。
【請求項１１】
前記ユニットには、このユニットを自動車の一部にねじ作用で連結することができる手段が設けられている前記請求項のいずれか一つによる機構。
【請求項１２】
前記前記ユニットには、１／４回転ねじ又は差し込み式の連結具が設けられていて、前記ユニットをフード又はボンネット下側の自動車の一部に取り付けるようになっている請求項１１による機構。
【請求項１３】
前記ボンネット構造体には、前記捕捉具を受ける開口が設けられており、この開口は、一方向に第１の寸法を有し、他の方向に第２のより長い寸法を有し、これによって、前記捕捉具が前記開口の縁部に係合した後、１／４回転させると前記捕捉具が釈放されるようになっている請求項１１又は請求項１２による機構。
【請求項１４】
前記ユニットは、エアバッグを備え、このエアバッグは、前記ボンネット構造体の一部に係合し、これを保持するようになっている捕捉具を有している請求項１又は請求項２による機構。
【請求項１５】
前記エアバッグは、スリーブを備え、このスリーブは、該スリーブが実質的に放射方向に膨張しないようになるマテリアルで作られている請求項１４による機構。
【請求項１６】
前記スリーブは、織物で形成されている請求項１５による機構。
【請求項１７】
前記スリーブは、実質的に気密性のマテリアルで内張りされている請求項１５又は請求項１６による機構。
【請求項１８】
前記スリーブの上位部分は、二つの相互係合要素の間に実質的にガスタイトの状態におかれ、前記相互係合要素の一方が前記捕捉具を有している請求項１５から請求項１７のいずれか一つによる機構。
【請求項１９】
前記捕捉具は、捕捉プレートからなり、このプレートは、前記ボンネット構造体の一部を形成するあごに係合し、これを保持するようになっている請求項１４から請求項１８のいずれか一つによる機構。
【請求項２０】
前記スリーブの下端部は、基部ブロックに形成された溝に受けられる請求項１４から請求項１９のいずれか一つによる機構。
【請求項２１】
前記前記エアバッグは、シリンドリカルな形状のものである請求項１４から請求項２０のいずれか一つによる機構。
【発明の詳細な説明】
【技術分野】
【０００１】
本発明は、安全機構、さらに詳しくは、自動車用の安全機構に関するものである。
【０００２】
自動車のようなモータ車両が歩行者に車両の前部が衝突する事故にあったときには、歩行者の頭部が車両のフードまたはボンネットに当たってしまうことはよくあることである。これによってフード又はボンネットが変形してしまうが、多くの場合には、フード又はボンネットの直下にあるエンジンブロックの一部又はエンジンルームの内部の別の部品にフード又はボンネットが当たるめに、それ以上変形しなくなってしまう。その結果、歩行者の頭部は、突然に動かなくなり、歩行者の頭部は、好ましくない、きびしい減速状態に落ち入り、重い傷害を受けてしまう。
【０００３】
前記のような種類の事故の場合に膨張するようになっている一つ又は複数の膨張要素をフード又はボンネットの後端部近くに配置するようにして、フード又はボンネットの後端部が持ち上げられたとき、エンジンルーム内のエンジンブロック又は他の部品からフード又はボンネットを離すようにすることが従来から提案されている。これによって、上記のような事故の際に歩行者の頭部がフード又はボンネットに当たっても、フード又はボンネットが変形するにつれて、歩行者の頭部が徐々に減速するようになる。
【０００４】
これまで提案されている膨張要素は、通例のエアバッグものであり、これの不利な点は、一般的な事故の場合に歩行者を適切に保護できるに足る十分な時間にわたり膨張展開できない点と、フード又はボンネットを上方へ持ち上げ、歩行者に傷害を与えてしまうような加速力がフード又はンボンネットに作用する点である。
【０００５】
この発明は、改良された安全機構を提供しようとするものである。
【０００６】
この発明の一つのアスペクトによれば、フード又はボンネットを有する自動車の安全機構が提供されるもので、この安全機構は、フード又はボンネットの後部下側に配置されるようになっているユニットを備え、このユニットは、センサからの信号に応答して前記ユニットを伸びるようにする手段を有し、このユニットは、前記ユニットが伸長したとき、ボンネット構造体の一部に係合し、これを保持する捕捉具を有している構成になっている。
【０００７】
この発明の別のアスペクトによれば、フード又はボンネットを有する自動車の安全機構が提供されるもので、この安全機構は、フード又はボンネットの後部下側に配置されているユニットを備え、このユニットは、センサからの信号に応答して前記ユニットを伸びるようにする手段を有し、このユニットは、前記ユニットが伸長したとき、ボンネット構造体の一部に係合し、これを保持する捕捉具を有している構成になっている。
【０００８】
好ましくは、前記ユニットには、ボスが設けられており、このボスには、捕捉具を構成する直径方向に対向する二つのスプリングクリップが設けられている。
【０００９】
便宜的には、前記ボスには、円錐形又はテーパーがついた上面が設けられ、各スプリングクリップには、自由なアームが設けられ、このアームは、前記円錐形の面に整合する傾斜部を構成し、この傾斜部の下端部は、内方へ放射状に向いているアームになっている。
【００１０】
有利には、前記ユニットは、基部を有し、この基部は、装填火薬を支持し、前記ユニットは、さらに、前記ボスを支持する上部プレートを有し、前記ボスと前記上部プレートとを連結して、ガス発生器が作動すると、長さが伸長するようにする手段が設けられている。
【００１１】
便宜的には、前記ユニットの部分は、長さが伸長するとき、可塑的変形するものである。
【００１２】
一つの実施の態様においては、前記ボスと前記上部プレートとの間の手段は、可塑的に変形可能なマテリアルで作られたスリーブからなる。
【００１３】
好ましくは、前記スリーブには、蛇腹構成が設けられている。
【００１４】
他の実施の態様においては、前記ボスと前記上部プレートとの間の手段は、ピストンとシリンダー構成からなるものである。
【００１５】
好ましくは、前記ピストンは、可塑的に変形可能なマテリアウのピストンロッドと前記ピストンを伸長した位置で保持する手段とを備えている。
【００１６】
便宜的には、前記ユニットには、このユニットを自動車の一部にねじ作用で連結することができる手段が設けられている。
【００１７】
好ましくは、前記ユニットには、１／４回転ねじ又は差し込み式の連結具が設けられていて、前記ユニットをフード又はボンネット下側の自動車の一部に取り付けるようになっている。
【００１８】
有利には、前記ボンネット構造体には、前記捕捉具を受ける開口が設けられており、この開口は、一方向に第１の寸法を有し、他の方向に第２のより長い寸法を有し、これによって、前記捕捉具が前記開口の縁部に係合した後、１／４回転させると前記捕捉具が釈放されるようになっている。
【００１９】
別の実施の態様においては、前記ユニットは、エアバッグを備え、このエアバッグは、前記ボンネット構造体の一部に係合し、これを保持するようになっている捕捉具を有している。
【００２０】
好ましくは、前記エアバッグは、スリーブを備え、このスリーブは、該スリーブが実質的に放射方向に膨張しないようになるマテリアルで作られている。
【００２１】
便宜的には、前記スリーブは、織物で形成されている。
【００２２】
好ましくは、前記スリーブは、実質的に気密性のマテリアルで内張りされている。
【００２３】
便宜的には、前記スリーブの上位部分は、二つの相互係合要素の間に実質的にガスタイトの状態におかれ、前記相互係合要素の一方が前記捕捉具を有している。
【００２４】
好ましくは、前記捕捉具は、捕捉プレートからなり、このプレートは、前記ボンネット構造体の一部を形成するあごに係合し、これを保持するようになっている。
【００２５】
好ましくは、前記スリーブの下端部は、基部ブロックに形成された溝に受けられる。
【００２６】
好ましい実施の態様においては、前記エアバッグは、シリンドリカルな形状のものであるが、また別に該エアバッグは、円錐形をしていて、広い基部を有し、頂部が細くなっていて、前記捕捉具を支持するようになっていてもよい。
【００２７】
この発明をさらに容易に理解し、その結果さらなる特徴が理解されるように、この発明を添付の図面を参照しながら実施の態様により記載する。
【００２８】
まず最初に添付の図面の図１から図４を参照すると、この発明による安全機構が図示されている。
【００２９】
インナーウイング構造体１の一部に凹部又は凹陥部２が設けられており、この凹部又は凹陥部２は、基部に開口３が設けられている。開口３は、円形の形状をしていて、内側に向いて二つの直径方向に対向する足部４，５が設けられており、これら足部は、傾斜した下面６，７を有し、これら下面で１／４回転ねじ部又は“差し込み”式固定部を構成している。
【００３０】
インナーウイング構造体の直上には、フード又はボンネット８が位置し、フード又はボンネットの下面には、強化構造体又は補強ビーム９が設けられている。開口又は切除部１０が開口３の直上位置における強化構造体９の部分に設けられている。切除部１０は、十字形形状になっていて、対向するアーム１１，１２の第１の対と第１の対のアームと直交し、やや長くなっている対向するアーム１３，１４の第２の対とを有している。
【００３１】
膨張可能な要素１５を備えるユニットが設けられている。この膨張可能な要素は、基部１６に取り付けられている。基部１６の外側部分には、二つのらせん状の突起１７，１８が直径方向に対向して設けられており、これらは、開口３の突起４，５に係合して１／４回転ねじ取付部又は差し込み取付部を形成する。かくして基部１６は、インナーウイング構造体の開口３に対しまっすぐに螺合させることで着脱自由になっている。
【００３２】
基部１６には、火薬インフレータ又はガス発生器１９を受ける中央開口１８が設けてある。基部１６は、スリーブ２０の一方の端部に気密状態で連結されており、このスリーブは、スチール形態の金属のような可塑的変形可能なマテリアルで作られていて、ガス発生器からのガスがスリーブ２０内へ噴射されるようになっている。スリーブ２０には、蛇腹構成２１を備えている。これら蛇腹は、適当なダイ内でスリーブを加圧成形したり、また別に、スリーブを回転させながらスリーの内外両面にローラーを作用させてスリーブを加工することにより形成できる。スリーブの上端部は、上部プレート２２に気密状態で連接している。上部レート２２は、上向きボス２３を支持しており、このボスは、円錐形上面又はテーパー上面２４を有している。前記ボスには、二つの直径方向に対向するスプリングクリップ２５，２６が設けられている。各スプリングクリップには、自由なアーム２７，２８が設けられており、これらで傾斜部２９，３０を構成し、これら傾斜部は、前記円錐形面に連なり、これら傾斜部の下端は、放射状に内側へ向くアーム３１，３２になっている。
【００３３】
これらアーム３１，３２は、上部プレート２２の上面に離れて位置する。スプリングクリップ２５，２６は、十字形形状の係合切除部１０の短くなっているアーム１１，１２に正合している。
【００３４】
上部プレート２２は、ボンネットラッチのリリーズアーム３３に取り付けられており、図１と図５から分かるように、該アームは、ボンネット捕捉具３４に達している。ボンネット捕捉具３４は、ボンネットがボンネットの前部において、ヒンジ又は他の枢着取付手段が設けられているボンネットである場合通常設けられているものであるが、ボンネットの後端部にヒンジが設けられているものであれば、前記ボンネット捕捉具は、前記ヒンジを所定の位置に保持するものである。何れの場合でも、ボンネット捕捉具３４が釈放されれば、フード又はボンネット８の後縁部は、上方へ動くようになる。
【００３５】
センサ３５が自動車の前部バンパに取付られていて、歩行者との衝撃を検知するようになっている。センサ３５は、ガス発生器又はインフレータ１９に接続している。
【００３６】
センサ３５が歩行者との衝撃を感知すると、信号をインフレータへ送り、インフレータ１９が動作してインフレータ１９からのガスがスリーブ２０の内部へ送られる。スリーブは、膨らみ、上部プレート２２を上方へ動かす。かくして、スリーブ２０の長さが伸長する。上部プレート２２が上方へ動くにつれ、ボス２３の円錐形面２４が切除部１０を抜け出て、自由なアーム２７，２８の傾斜部２９，３０と、スプリングクリップ２５，２６とが十字形の切除部１０の比較して短いアーム１１，１２の端部に係合し、かくして内側にフレックスの状態になる。スプリングクリップ２５，２６が係合相手の切除部１０を完全に抜けると、弾性アーム２５，２６がもとの位置へ弾性で戻り、水平で、内側に向いた部分３１，３２がボンネット強化構造体９の金属部分を十字形の比較的短いアーム１１，１２の端部を越えて係合切除部１０の両側に係合させる。
【００３７】
上部プレート２２が上方へ動くにつれ、ボンネットリアクション・リーズアーム３３が動き、これでボンネット捕捉具３４を釈放する。
【００３８】
スリーブ２０が膨張し続けることで、図５に示すようにボンネット８の後部が上方へ持ち上がる。かくして、歩行者が頭部をボンネットに打ち当てたとしてもボンネットが変形し、ボンネットがエンジンルーム内のエンジンブロックや他の部品類にボンネットが当たることでの歩行者の頭部の動きが抑えられてしまう危険はなくなる。また、歩行者がフードやボンネットに頭を当てると、伸長したスリーブ２０に下向きの力が作用し、伸長したスリーブ２０は再度圧縮され、可塑変形し、エネルギーを吸収するようになる。
【００３９】
フラップ３６のような一つ又は複数のベントが設けられ、該ベントは、所定のガス圧力が作用すると開き、膨張したスリーブ内からガスを逃がすようになっている。
【００４０】
スプリングクリップ２５，２６が前記ボンネット強化構造体に係合して、ボンネットの後端部を所定の位置に保持し、ボンネットが望ましくない態様で前方へずれ動かないようにする。フード又はボンネットを原位置へ戻したい場合には、スリーブ２１を手で掴み、９０°回転すると、下位のハーフ回転ねじ又は差し込み取付係合が解除され、スプリングクリップ２５，２６が動き、十字形の開口１０の長くなっているアーム１３，１４に一致し、このようにすることで、前記ユニットを前記インナーウイング構造体とボンネット強化構造体との両者から外すことができるようになる。
【００４１】
側壁が可塑的に変形するマテリアルで形成された膨張可能な要素を使用しての実施の態様について、この発明を上記のように記載したが、図６は、この発明の別の実施の態様を示すもので、該図においては、ユニットが設けられ、このユニットでは、基部プレート１６で火薬インフレータからガスを受けるシリンダー４０を支えている。ピストン４０が前記シリンダーに内蔵され、前記インフレータからガスの供給を受けて、前記ユニットの長さを伸長させるもので、ピストン４１には、ピストンロッド４２が設けられ、このロッドで上部カバーを支持する。ピストンロッド４２には、ラチェット機構４３が設けられ、前記ピストンが一旦伸長した位置へ動くと、前記ピストンは、再び原位置へ戻ることができなくなる構造になっている。ピストンロッド４２は、可塑的変形可能なマテリアルで成形されている。
【００４２】
図６に示した実施の態様のものの実用例では、インフレータ１９が動作すると、ピストン４１が後退している原位置から伸長した位置へ動き、ラチェット４３の作用により、伸長した位置に留まる。かくして、上記した実施の態様におけるように、ボンネットが持ち上がる。歩行者がボンネットに頭をぶつけると、該ボンネットに下向きの力が働き、ピストンロッド４１が可塑的に変形し、エネルギーを吸収することになる。
【００４３】
上記したような安全装置は、自動車が生産ラインにあるとき、自動車に簡単に実装でき、若干のミスアライメントがあったとしても、前記装置は、意図された態様で動作するもので、これは、円錐形の頭部２４が係合相手の切除部に対し常に“自己整合”するからである。記載されたユニットは、ボンネットとインナーウイング構造体との間を絶えず連結するものではないから、ベロウズ又はピストンには、金属疲労を生じさせる力が作用しない。前記装置は、まとまっていて、突き出た邪魔物がないから、自動車の修理や保守作業の際に危害を与えるおそれがない。
【００４４】
図７と図８は、この発明の別の実施の態様を示す。図７，８を参照すると、記載された実施の態様のものは、基部ハウジング５０を備え、これは、アルミニウム又は商標“ＭＡＺＡＣ”として市販されている錫・鉛合金のような適当な軽量金属の鋳造品又は成形プラスチックス成形品として成形されている。基部５０は、一体ブロック５１として成形されていて、ブロック５１は、突出した開口つき足部５２，５３を有し、これら足部で前記ブロックが所定位置に取り付けられるようになっている。前記一体のブロックは、キャビティ５４を有し、このキャビティは、前記ブロックの一方の側面において開口しており、前記キャビティには、ガス発生器５５が内蔵されている。一体ものブロック５１内に形成されたガス流路ダクト５６を介して前記ブロック５１は、凹部５７の底部に連通し、該凹部は、前記ブロックの上面に形成されている。凹部５７は、チャンネル５８により囲まれている。チャンネル５８には、最初に二つの立ち上がるリップが設けられ、これらリップは、スエージング加工できるマテリアル又は槌で打って加工できるマテリアルで成形されているから、これらリップを互いに内方へ変形させることができる。
【００４５】
図７，８に示すように、膨張要素６０が設けられていて、該膨張要素の開口部を囲むビード５９が設けられている。ビード５９は、チャンネル５８内で受けられ、前記チャンネルのリップは、内方へスエージング加工又は変形されて、前記ビード５９を凹部５７を囲むチャンネル内に保持するようになっている。
【００４６】
膨張要素６０は、比較的気密なシリンドリカルなインナーエアバッグ６１と放射方向に実質的に膨らまない、例えば、織物から作られているアウター筒状スリーブ６２とから形成されている。このように、膨張可能な要素６０は、シリンドリカルなエアバッグであるが、他の実施の態様にあっては、円錐形のエアバッグも使用できる。
【００４７】
インナーエアバッグ６１とスリーブ６２の上端部は、底部６４と巻き曲げリップによって曲げ上面を呈する上方外向きの側壁６５をもつ下側の金属カップ６３と、下側カップ６３にはまるようになっていて、底部６８と上方外向きの側壁６９を有する上側カップとの間に挟み込まれている。上側カップと下側カップは、ともにリベット７０で結合され、このリベットは、前記二つのカップの底部６４，６８の中心に形成されて互いに整合している開口に通されている。かくして、上方外向きの傾斜した反る壁６５，６９の間に前記実質的に気密なインナーエアバッグ・マテリアル６１とアウタースリーブ６２とが実質的に気密状態で挟持されることになる。
【００４８】
下側カップ６４の寸法は、前記カップの少なくとも一部が一体ものブロック５１の上面に形成された凹部５７にはまりこむことができる寸法である。
【００４９】
上側カップ６７には、クリッププレート７１が設けられている。このクリッププレート７１は、上側カップ６７の開口部を覆い、中央開口７２を有している。
【００５０】
基部ブロック５０は、自動車のボンネット又はフードの下側の位置に実装されるようになっている。図７は、基部ブロック５０の上方に位置するボンネット又はフード８０を示している。ボンネット又はフード８０は、二つの取付ブラケット８２，８３により支持プレート８１を支持している。支持プレート８１は、下向きになっているかぎつき突起８４を支持している。このかぎつき突起は、例えばプラスチックスマテリアルから成形されている。前記かぎつき突起は、先鋭先端部８５と外向き保持かぎ部８６とを有している。前記先鋭先端部は、捕捉プレート７１の開口７２の上に位置して、位置が合っている。
【００５１】
図７に示すように、前記安全機構の当初の位置においては、下側カップ６３は、その少なくとも一部が凹部５７で受けられており、ボンネット又はフード８０は、基部ブロック５０の直上にあって、僅かに離れている。歩行者との衝撃が感知されると、ガス発生器５５が作動してガスがチャンバ５４内に噴射され、ガスは、ガス流路導管５６を経て凹部５７の底部へ流れ込む。このガスで膨張可能な要素６０が膨張する。この膨張可能な要素６０を組み込んだユニットは、かくして長さが伸長する。巻き込まれたリップ６６により膨張要素６０に損傷を与えない。金属カップ６３，６７が上方へ動き、捕捉プレート７１の開口７２がかぎつき突起８４の先鋭先端部８５に係合する。この捕捉プレートは、上方へ動き、まず前記かぎつき突起８６を開口７２に押し込み、該突起は、前記開口を抜けると、該開口の下側で外方へ開き、これによってかぎつき突起８４は、捕捉プレート７１にしっかり結合する。
【００５２】
前記カップ６３，６７が上方へ動くにつれ、フード又はボンネット８０に上向きの力が働き、フード又はボンネット８０を持ち上げる。
【００５３】
スリーブ６２は、放射方向へ実質的に膨らまないマテリアル又は織物から形成されている。したがって、スリーブ６２によって前記エアバッグ６０は、軸方向しか膨らまないようになっており、膨張したエアバッグは、横方向へは動かない。固有の強さを持たない単純なエアバッグは、不安定なものであり、ボンネットを意図した上向きの方向以外の他の方向へ動かしてしまうものと考えられる。
【００５４】
膨張可能な要素６０が完全に膨張したとき、上側カップのクリッププレートは、前記かぎつき突起に係合し、クリップレート７２とかぎつき突起８４とが係合することで、ボンネットのさらに上方への動きが阻止される。かくして、記載された機構は、フード又はボンネット８０を所定の分だけ上方へ動かさない。さらに一段とボンネット８０を上方へ動かそうとすると、かぎつき突起８６は、ぐっと広がり、クリッププレート７１にさらにしっかり係合するようになる。
【００５５】
歩行者がボンネットに頭をぶつけ、このボンネットが持ち上げられた状態になると、歩行者により該ボンネットを下向きに押す力が該ボンネットに加わる。これによって、エアバッグ６１は、圧縮され、膨張可能な要素６１１の内部圧力が高まる。このような圧力の上昇で、エアバッグ６１からガスがアウタースリーブ６２を通って漏れ出す。このガスの漏れにより、ボンネット８０は、下方へ下がりながらエネルギーを吸収し、これによって、歩行者を徐々に所望の態様で減速させる。ボンネットによる歩行者の衝撃は、このようにして緩和される。
【００５６】
この明細書において、“備える”は、“含む又はからなる”を意味し、“備えることは、“含むこと又はからなること”を意味する。
【図面の簡単な説明】
【００５７】
【図１】自動車に実装される、この発明による安全機構の一部の断面図。
【図２】図１の安全機構の一部の略図的断面図。
【図３】図２のＡ−Ａ線にそう断面図。
【図４】図２のＢ−Ｂ線にそう断面図。
【図５】事故後の図１の機構を示す図２に相当する図。
【図６】この発明の別の実施の態様を示す図２に相当する図。
【図７】安全機構が展開する前の、この発明の別の実施の態様を示す略図的断面図。
【図８】展開後における図７の機構を示す図７に相当する図。
【国際公開パンフレット】
2004521810.tif 000003
2004521810.tif 000004
2004521810.tif 000005
2004521810.tif 000006
2004521810.tif 000007
2004521810.tif 000008
2004521810.tif 000009
2004521810.tif 000010
2004521810.tif 000011
2004521810.tif 000012
2004521810.tif 000013
2004521810.tif 000014
2004521810.tif 000015
2004521810.tif 000016
2004521810.tif 000017
2004521810.tif 000018
2004521810.tif 000019
2004521810.tif 000020
2004521810.tif 000021
2004521810.tif 000022
2004521810.tif 000023
2004521810.tif 000024
2004521810.tif 000025
2004521810.tif 000026
2004521810.tif 000027
【国際調査報告】
2004521810.tif 000028
2004521810.tif 000029
2004521810.tif 000030